(57)【要約】【課題】３枚以上のフレキシブル回路基板を重ね合わせて機器内に組み込む際にも位置ずれが生じにくいフレキシブル回路基板群を提供する。【解決手段】フレキシブル回路基板群は、第１のフレキシブル回路基板としてのフレキシブル回路基板１１と、前記第１のフレキシブル回路基板に重ねられた第２のフレキシブル回路基板としてのフレキシブル回路基板１３と、前記第１のフレキシブル回路基板および前記第２のフレキシブル回路基板に挟み込まれ、開口部または切欠きを有する、第３のフレキシブル回路基板としてのフレキシブル回路基板１２とを備え、前記第１のフレキシブル回路基板としてのフレキシブル回路基板１１と前記第２のフレキシブル回路基板としてのフレキシブル回路基板１３とは、前記開口部または切欠きを通じて直接接続されている。【選択図】図１
2014096492.tif 000002
【特許請求の範囲】
【請求項１】
第１のフレキシブル回路基板と、
前記第１のフレキシブル回路基板に重ねられた第２のフレキシブル回路基板と、
前記第１のフレキシブル回路基板および前記第２のフレキシブル回路基板に挟み込まれ、開口部または切欠きを有する、第３のフレキシブル回路基板とを備え、
前記第１のフレキシブル回路基板と前記第２のフレキシブル回路基板とは、前記開口部または切欠きを通じて直接接続されている、
フレキシブル回路基板群。
【請求項２】
前記第１のフレキシブル回路基板、前記第２のフレキシブル回路基板および前記第３のフレキシブル回路基板を重ねたまま一括して折り曲げた折り曲げ箇所を１ヶ所以上有する、請求項１に記載のフレキシブル回路基板群。
【請求項３】
前記開口部または切欠きを通じた前記第１のフレキシブル回路基板と前記第２のフレキシブル回路基板との間の直接接続は、異方性導電フィルムによって行なわれている、請求項１または２に記載のフレキシブル回路基板群。
【請求項４】
前記第１のフレキシブル回路基板は、第１のグランド導体層を備え、
前記第２のフレキシブル回路基板は、第２のグランド導体層を備え、
前記第３のフレキシブル回路基板は、信号ラインが配置された信号ライン領域を有し、  前記信号ライン領域は、前記第１のグランド導体層と前記第２のグランド導体層とによって覆われつつ挟み込まれている、請求項１から３のいずれかに記載のフレキシブル回路基板群。
【請求項５】
請求項１から４のいずれかに記載のフレキシブル回路基板群を備える、電子機器。
【発明の詳細な説明】
【技術分野】
【０００１】
本発明は、フレキシブル回路基板群およびこれを備える電子機器に関するものである。
【背景技術】
【０００２】
従来、フレキシブル回路基板が重なって配置されている場合、フレキシブル回路基板に導電性テープを貼ってノイズの影響を防止していた。このようなフレキシブル回路基板の一例が特開２００４−１１９４４５号公報（特許文献１）に記載されている。
【０００３】
また、タッチパネル機能を備え、３Ｄ表示を行なうことができる液晶表示装置が製品化されているが、このような液晶表示装置においては、その筺体の内部に、タッチパネル、スイッチ液晶パネル、画像表示液晶パネルの３種類のパネルが配置され、各パネルからそれぞれフレキシブル回路基板が延在するという形態が採用される場合があった。この場合、３枚のフレキシブル回路基板が別々に延在し、重なり合う状態であった。
【先行技術文献】
【特許文献】
【０００４】
【特許文献１】特開２００４−１１９４４５号公報
【発明の概要】
【発明が解決しようとする課題】
【０００５】
複数のフレキシブル回路基板が重なり合って機器内に組み込まれることは往々にしてあるが、重なり合うフレキシブル回路基板の数が３枚以上になると、各フレキシブル回路基板の位置関係が正確に定まらなくなってくる。また、フレキシブル回路基板がコネクタに接続されるべきものである場合、組立時のばらつきによって、コネクタに対する相対位置がずれてしまい、正しくコネクタに接続できないという問題があった。
【０００６】
一方、各フレキシブル回路基板が重なっている状態で、ノイズの影響が問題になる場合には、シールドの役割を果たさせるためにフレキシブル回路基板の両面に導電性テープを貼ることが必要であった。
【０００７】
そこで、本発明は、３枚以上のフレキシブル回路基板を重ね合わせて機器内に組み込む際にも位置ずれが生じにくいフレキシブル回路基板群およびこれを備える電子機器を提供することを目的とする。
【課題を解決するための手段】
【０００８】
上記目的を達成するため、本発明に基づくフレキシブル回路基板群は、第１のフレキシブル回路基板と、上記第１のフレキシブル回路基板に重ねられた第２のフレキシブル回路基板と、上記第１のフレキシブル回路基板および上記第２のフレキシブル回路基板に挟み込まれ、開口部または切欠きを有する、第３のフレキシブル回路基板とを備え、上記第１のフレキシブル回路基板と上記第２のフレキシブル回路基板とは、上記開口部または切欠きを通じて直接接続されている。
【発明の効果】
【０００９】
本発明によれば、第１のフレキシブル回路基板と第２のフレキシブル回路基板とが第３のフレキシブル回路基板に設けられた開口部または切欠きを通じて直接接続されているので、３枚以上のフレキシブル回路基板を重ね合わせて機器内に組み込む際にも位置ずれが生じにくい。
【図面の簡単な説明】
【００１０】
【図１】本発明に基づく実施の形態１におけるフレキシブル回路基板群の第１の例の分解図である。
【図２】本発明に基づく実施の形態１におけるフレキシブル回路基板群の第１の例の断面図である。
【図３】本発明に基づく実施の形態１におけるフレキシブル回路基板群の第１の例をメイン基板と組み合わせた状態の斜視図である。
【図４】本発明に基づく実施の形態１におけるフレキシブル回路基板群の第１の例をメイン基板および筺体と組み合わせた状態の断面図である。
【図５】本発明に基づく実施の形態１におけるフレキシブル回路基板群の第１の例をメイン基板および筺体と組み合わせる作業の説明図である。
【図６】本発明に基づく実施の形態１におけるフレキシブル回路基板群の第２の例の分解図である。
【図７】本発明に基づく実施の形態１におけるフレキシブル回路基板群の第２の例の断面図である。
【図８】本発明に基づく実施の形態１におけるフレキシブル回路基板群の第３の例の分解図である。
【図９】本発明に基づく実施の形態１におけるフレキシブル回路基板群の第３の例の断面図である。
【図１０】本発明に基づく実施の形態１におけるフレキシブル回路基板群の第４の例の分解図である。
【図１１】本発明に基づく実施の形態１におけるフレキシブル回路基板群の第４の例の断面図である。
【図１２】本発明に基づく実施の形態２におけるフレキシブル回路基板群の分解図である。
【図１３】本発明に基づく実施の形態３における電子機器の斜視図である。
【発明を実施するための形態】
【００１１】
（実施の形態１）
（構成）
図１〜図２を参照して、本発明に基づく実施の形態１におけるフレキシブル回路基板群について説明する。
【００１２】
本実施の形態におけるフレキシブル回路基板群は、第１のフレキシブル回路基板と、前記第１のフレキシブル回路基板に重ねられた第２のフレキシブル回路基板と、前記第１のフレキシブル回路基板および前記第２のフレキシブル回路基板に挟み込まれ、開口部または切欠きを有する、第３のフレキシブル回路基板とを備え、前記第１のフレキシブル回路基板と前記第２のフレキシブル回路基板とは、前記開口部または切欠きを通じて直接接続されている。
【００１３】
本実施の形態におけるフレキシブル回路基板群の分解図を図１に示す。貼り合わせた状態のフレキシブル回路基板群を、図１の矢印７１の側から見た断面図を図２に示す。このフレキシブル回路基板群は、３枚のフレキシブル回路基板１１，１２，１３を含んでいる。各フレキシブル回路基板の一端には、フレキシブルではないパネルがつながっている。フレキシブル回路基板１１にはパネル２１がつながり、フレキシブル回路基板１２にはパネル２２がつながり、フレキシブル回路基板１３にはパネル２３がつながっている。たとえば、パネル２１はタッチパネルであり、パネル２２はスイッチ液晶パネルであり、パネル２３は画像表示液晶パネルである。
【００１４】
ここでは、フレキシブル回路基板１１が第１のフレキシブル回路基板に該当し、フレキシブル回路基板１３が第２のフレキシブル回路基板に該当し、フレキシブル回路基板１２が第３のフレキシブル回路基板に該当する。
【００１５】
上では「開口部または切欠き」としたが、ここでは、「開口部」の例を示している。第３のフレキシブル回路基板であるフレキシブル回路基板１２には開口部５が設けられている。第１のフレキシブル回路基板であるフレキシブル回路基板１１と第２のフレキシブル回路基板であるフレキシブル回路基板１３とは、開口部５を通じて異方性導電性フィルム（Anisotropic Conductive Film）（「ＡＣＦ」ともいう。）６によって直接接続されている。
【００１６】
（作用・効果）
本実施の形態では、第１のフレキシブル回路基板と第２のフレキシブル回路基板とが、第３のフレキシブル回路基板に設けられた開口部を通じて直接接続されているので、３枚以上のフレキシブル回路基板を重ね合わせて機器内に組み込む際にも位置ずれが生じにくい。
【００１７】
なお、本実施の形態で示されるように、前記第１のフレキシブル回路基板、前記第２のフレキシブル回路基板および前記第３のフレキシブル回路基板を重ねたまま一括して折り曲げた折り曲げ箇所を１ヶ所以上有することが好ましい。本実施の形態では、重なり合った３枚のフレキシブル回路基板は、図１に示す折り曲げ箇所３，４の２ヶ所でそれぞれ重ねたまま一括して山折りとする。図３に示すように、３枚のフレキシブル回路基板は、２回折り曲げられてメイン基板２８を抱き込むように配置される。ただし、図３では、筺体が図示省略されている。図３は、あくまで３枚のフレキシブル回路基板とメイン基板２８との関係を示すために簡略化して表示したものである。
【００１８】
３枚のフレキシブル回路基板およびメイン基板２８を筺体２９と組み合わせた状態を断面図で示すと図４のようになる。このとき、実際の組立は次のように行なうことができる。図４に示すように中板２９ｄを備える筺体２９の一方の側の凹部に３枚のパネル２１，２２，２３を収容し、１回折り曲げた後のフレキシブル回路基板１１，１２，１３の先端を、筺体２９の中板２９ｄに設けられた開口部２９ｅに通す。図５に示すように、フレキシブル回路基板１１，１２，１３の先端は、開口部２９ｅを通って反対側に突き出ることとなる。この状態でメイン基板２８を矢印６４に示すように筺体２９の中板２９ｄに設置し、突き出ているフレキシブル回路基板１１，１２，１３の先端を矢印６５のように折り曲げてメイン基板２８の上側にかぶせる。メイン基板２８には、コネクタ３１，３２，３３が搭載されている。たとえばコネクタ３１はタッチパネル用コネクタであり、パネル２２はスイッチ液晶パネル用コネクタであり、パネル２３は画像表示液晶パネル用コネクタである。フレキシブル回路基板１１の先端はコネクタ３１に接続され、フレキシブル回路基板１２の先端はコネクタ３２に接続され、フレキシブル回路基板１３の先端はコネクタ３３に接続される。
【００１９】
重ねたフレキシブル回路基板の途中に、このように一括して折り曲げる箇所がある場合には、一括して折り曲げることによって、従来であればフレキシブル回路基板同士のずれが大きくなりがちであったが、本実施の形態では、第１のフレキシブル回路基板と第２のフレキシブル回路基板とが、第３のフレキシブル回路基板に設けられた開口部または切欠きを通じて直接接続されているので、３枚以上のフレキシブル回路基板を重ね合わせて折り曲げて機器内に組み込む際にも位置ずれが生じにくい。
【００２０】
ここでは、３枚のフレキシブル回路基板を含むフレキシブル回路基板群を例にとって示したが、フレキシブル回路基板の枚数は３枚に限らず、４枚以上であってもよい。たとえば、５枚のフレキシブル回路基板を含むフレキシブル回路基板群においても、図６に示すように、５枚のうちの連続して並ぶいずれか３枚において、上述の関係が成り立っていればよい。たとえばパネル２４は第１のバックライトであり、パネル２５は第２のバックライトである。貼り合わせた状態のフレキシブル回路基板群を、図６における矢印７２の側から見た断面図を図７に示す。
【００２１】
なお、開口部の代わりに切欠きとしてもよい。図８に示すように、第１のフレキシブル回路基板としてのフレキシブル回路基板１１と第２のフレキシブル回路基板としてのフレキシブル回路基板１３とが第３のフレキシブル回路基板としてのフレキシブル回路基板１２に設けられた切欠き７を通じて直接接続されている構成となっていれば、やはり同様の効果を得ることができる。貼り合わせた状態のフレキシブル回路基板群を、図８における矢印７３の側から見た断面図を図９に示す。この場合も、フレキシブル回路基板の枚数は３枚に限らず、４枚以上であってもよい。たとえば、５枚のフレキシブル回路基板を含むフレキシブル回路基板群においても、図１０に示すように、５枚のうちの３枚において、上述の関係が成り立っていればよい。貼り合わせた状態のフレキシブル回路基板群を、図１０における矢印７４の側から見た断面図を図１１に示す。複数枚のフレキシブル回路基板の中で複数の箇所でそれぞれ連続して並ぶ３枚のフレキシブル回路基板に注目したとき、上述の関係が成り立っていてもよい。
【００２２】
なお、前記開口部または切欠きを通じた前記第１のフレキシブル回路基板と前記第２のフレキシブル回路基板との間の直接接続は、本実施の形態で示したように、異方性導電フィルム６によって行なわれていることが好ましい。この構成を採用することにより、開口部または切欠きによって与えられた領域で容易にフレキシブル回路基板同士の接続をすることができる。
【００２３】
なお、フレキシブル回路基板同士の直接接続は、異方性導電フィルム６によることが好ましいが、異方性導電フィルム６以外の技術によって適宜行なってもよい。
【００２４】
（実施の形態２）
（構成）
図１２を参照して、本発明に基づく実施の形態２におけるフレキシブル回路基板群について説明する。
【００２５】
本実施の形態におけるフレキシブル回路基板群は、図１２に示すものであって、基本的構成は実施の形態１で説明したフレキシブル回路基板群と共通であるが、以下の点で異なる。第１のフレキシブル回路基板としてのフレキシブル回路基板１１は、第１のグランド導体層３５を備え、第２のフレキシブル回路基板としてのフレキシブル回路基板１３は、第２のグランド導体層３６を備える。第３のフレキシブル回路基板としてのフレキシブル回路基板１２は、信号ライン３７が配置された信号ライン領域を有し、この信号ライン領域は、第１のグランド導体層３５と第２のグランド導体層３６とによって覆われつつ挟み込まれている。
【００２６】
（作用・効果）
本実施の形態では、第３のフレキシブル回路基板の信号ライン領域は、第１のグランド導体層３５と第２のグランド導体層３６とによって覆われつつ挟み込まれているので、第１のグランド導体層３５と第２のグランド導体層３６とによって、第３のフレキシブル回路基板の信号ライン３７を外部ノイズからシールドすることができる。このように隣接するフレキシブル回路基板に含まれるグランド導体層を用いたシールドが可能となったのは、第１のフレキシブル回路基板と第２のフレキシブル回路基板とが、開口部５を通じて直接接続され、フレキシブル回路基板同士の密着度が上がったからである。
【００２７】
（実施の形態３）
（構成）
図１３を参照して、本発明に基づく実施の形態３における電子機器について説明する。
【００２８】
本実施の形態における電子機器１０１は、上述のいずれかのフレキシブル回路基板群を備える、電子機器である。電子機器１０１は一方の主表面に表示領域４１を有する。表示領域４１は、タッチパネル機能と表示機能とを兼ね備えている。電子機器１０１の裏蓋を外した状態での断面は、図４に示したようなものである。電子機器１０１の内部には、たとえば実施の形態１で説明したフレキシブル回路基板群が配置されている。
【００２９】
（作用・効果）
本実施の形態における電子機器は、３枚以上のフレキシブル回路基板を重ね合わせて機器内に組み込む際にも位置ずれが生じにくいフレキシブル回路基板群を備えた電子機器であるので、フレキシブル回路基板のコネクタへの接続の不具合が生じにくく、信頼性の高い電子機器とすることができる。
【００３０】
なお、上記各実施の形態では、電子機器として、タッチパネル付きの液晶表示装置を備えたものを例示したが、電子機器の種類はこれに限らない。本実施の形態における電子機器は、他の種類の電子機器であってもよい。
【００３１】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３２】
３，４  折り曲げ箇所、５  開口部、６  異方性導電フィルム（ＡＣＦ）、７  切欠き、１１，１２，１３，１４，１５  フレキシブル回路基板、２１，２２，２３，２４，２５  パネル、２８  メイン基板、２９  筺体、２９ｄ  中板、２９ｅ  開口部、３１，３２，３３  コネクタ、３５  第１のグランド導体層、３６  第２のグランド導体層、３７  信号ライン、４１  表示領域、６４，６５，７１，７２，７３，７４  矢印。
【図１】
2014096492.tif 000003
【図２】
2014096492.tif 000004
【図３】
2014096492.tif 000005
【図４】
2014096492.tif 000006
【図５】
2014096492.tif 000007
【図６】
2014096492.tif 000008
【図７】
2014096492.tif 000009
【図８】
2014096492.tif 000010
【図９】
2014096492.tif 000011
【図１０】
2014096492.tif 000012
【図１１】
2014096492.tif 000013
【図１２】
2014096492.tif 000014
【図１３】
2014096492.tif 000015